【誤訳訂正書】
【提出日】平成22年11月12日(2010.11.12)
【誤訳訂正１】
【訂正対象書類名】明細書
【訂正対象項目名】全文
【訂正方法】変更
【訂正の内容】
【書類名】明細書
【発明の名称】コンピュータプリ−ブートにおけるアプリケーションの実行方法と装置
【特許請求の範囲】
【請求項１】
ＢＩＯＳコード部とプリブートアプリケーションマネージャ（ＰＡＭ）部とを有するＢＩＯＳを格納する記憶装置と、オペレーティングシステム（ＯＳ）と１以上のアプリケーション及びこれに付随する表示データとを有する大容量記憶装置（ＭＳＤ）と、を含むコンピューターシステムであって、
前記コンピューターシステムは更に、
呼び出されるとコンピューターシステムを初期化し且つ前記ＯＳをローディングするためのBIOSコード部を実行する第１の手段と、
呼び出されると前記ＰＡＭ部を実行する第２の手段と、
前記第１の手段及び前記第２の手段を呼び出す第３の手段と、
を含み、
前記第３の手段は、前記１の手段が前記OSをローディングする前に、前記第２の手段を呼び出し、これに因って前記OSのローディング開始前に、前記大容量記憶装置（ＭＳＤ）に存在する前記１以上のアプリケーション及び関連する表示データを実行せしめ、
前記表示データの１以上は、広告データを含むビデオクリップデータを含むことを特徴とするコンピューターシステム。
【請求項２】
ＢＩＯＳコード部とプリブートアプリケーションマネージャ（ＰＡＭ）部とを有するＢＩＯＳを格納する記憶装置と、オペレーティングシステム（ＯＳ）と１以上のアプリケーション及びこれに付随する表示データとを有する大容量記憶装置（ＭＳＤ）と、を含むコンピューターシステムであって、
前記コンピューターシステムは更に、
呼び出されると前記コンピューターシステムを初期化し且つ前記ＯＳをローディングするための前記BIOSコード部を実行する第１の手段と、
呼び出されると、プログラム可能なファイルシステム構造（FSS）モジュールを含む前記ＰＡＭ部を実行する第２の手段と、
前記第１の手段及び前記第２の手段を呼び出す第３の手段と、
を含み、
前記第３の手段は、前記OSをローディングする前に前記第２の手段を呼び出し、
前記第２の手段は、前記ファイルシステム構造（FSS）モジュールに記載されている有効な大容量記憶装置（MSD）を確認し、接続した大容量記憶装置（MSD）を分析し、前記記載されている有効な大容量記憶装置（ＭＳＤ）に前記接続した大容量記憶装置（MSD）が整合するのを見つけたとき前記接続した大容量記憶装置（MSD）に関連するアプリケーションを実行するのに必要なコードを起動し、前記アプリケーションを実行し、前記アプリケーションと共に少なくとも一つの表示を行い、それから前記第１の手段による前記OSの起動のために前記第３の手段に制御を戻し、
更に前記第２の手段は、当該整合が見つからなかったとき整合が見つからなかったことを示すフラグを設定し、
その後前記第１の手段は、前記OSを起動することを特徴とするコンピューターシステム。
【請求項３】
前記第１の手段は更に、前記OSが起動される毎にFSSドライバをローディングし、設定されているフラグを確認し、フラグが設定されているときは前記接続した大容量記憶装置（MSD）を分析し、次の起動動作のために新しいパラメータ群を前記ファイルシステム構造（FSS）モジュールにローディングし、その後前記 OSをローディングし続けることを特徴とする請求項２に記載のコンピューターシステム。
【請求項４】
前記第１の手段は更に、前記フラグが設定されていないと判断すると、前記FSSドライバを停止させ、前記OSをローディングし続けることを特徴とする請求項２に記載のコンピューターシステム。
【請求項５】
前記第２の手段は更に、前記ファイルシステム構造（FSS）モジュールにローディングされた前記パラメータ群に基づいて、次の起動動作で複数の表示及びこれに関連するアプリケーション群の間で交替を生ぜせしめることを特徴とする請求項３に記載のコンピューターシステム。
【請求項６】
プリブートアプリケーションマネージャ（ＰＡＭ）ソフトウェアを有するＢＩＯＳを格納する記憶装置と、オペレーティングシステム（ＯＳ）と１以上のアプリケーション及びこれに付随する表示データとを有する大容量記憶装置（ＭＳＤ）と、
呼び出されると、コンピュータ初期化及びオペレーティングシステム（OS）の起動を指示するBIOSを実行する第１の手段と、呼び出されると、前記ＢＩＯＳ内のプリブートアプリケーションマネージャ（PAM）ソフトウェアを実行する第２の手段と、前記第１の手段及び前記第２の手段を呼び出す第３の手段と、を含むコンピューターシステムであって、
前記第３の手段が、前記第１の手段による前記OS起動前に、始動に際して前記第２の手段を呼び出し、これに因って前記第２の手段が、前記大容量記憶装置（ＭＳＤ）上のアプリケーション及び表示データに対するポインタ群が存在するかどうか前記BIOS内のファイルシステム構造（FSS）モジュールを確認し、
前記第２の手段が、前記ファイルシステム構造（FSS）モジュールに整合するアプリケーション及び表示データを有する大容量記憶装置（ＭＳＤ）を見つけたとき、前記アプリケーションをローディングし、実行し、更に前記表示を行うステップと、
前記表示を行った後に前記第１の手段が前記OS起動を行うステップと、
を含むことを特徴とするコンピューターシステム。
【請求項７】
前記表示データは、広告を含むビデオクリップデータである請求項６に記載のコンピューターシステム。
【請求項８】
プリブートアプリケーションマネージャ（ＰＡＭ）ソフトウェアを有するＢＩＯＳを格納する記憶装置と、オペレーティングシステム（ＯＳ）と１以上のアプリケーション及びこれに付随する表示データとを有する大容量記憶装置（ＭＳＤ）と、
呼び出されると、コンピュータ初期化及びオペレーティングシステム（OS）の起動を指示するBIOSを実行する第１の手段と、前記ＢＩＯＳ内に含まれるＰＡＭソフトウェアを実行する第２の手段と、前記第１の手段及び前記第２の手段を呼び出す第３の手段と、を含むコンピューターシステムであって、
前記第３の手段が、前記OS起動前に、始動に際して前記第２の手段を呼び出すステップと、
前記第２の手段が、大容量記憶装置（ＭＳＤ）上のアプリケーション及び表示データに対するポインタ群が存在するかどうか前記BIOS内のファイルシステム構造（FSS）モジュールを確認するステップと、
前記第２の手段が、前記ファイルシステム構造（FSS）モジュールに整合するアプリケーション及び表示データを有する大容量記憶装置（MSD）を見つけたとき、前記アプリケーションをローディングし、実行し、更に前記表示を行うステップと、
前記第２の手段が、前記ファイルシステム構造（FSS）モジュールに整合するアプリケーション及び表示データを有する大容量記憶装置（MSD）を見つけることができなかったとき、当該整合が見つからなかったことを示すフラグを設定するステップと、
前記第１の手段が前記OSを起動し始めるステップと、を含むことを特徴とするコンピューターシステム。
【請求項９】
前記第１の手段は、前記OSが起動される毎にFSSドライバをローディングし、設定されているフラグを確認し、フラグが設定されているときは接続した大容量記憶装置（MSD）を分析し、次の起動動作のために新しいパラメータ群を前記ファイルシステム構造（FSS）モジュールにローディングし、その後前記OSをローディングし続けるステップを更に含むことを特徴とする請求項８に記載のコンピューターシステム。
【請求項１０】
前記フラグが設定されていないと前記第１の手段が判断すると、前記第１の手段は前記FSSドライバを停止させ、前記OSをローディングし続けることを特徴とする請求項９に記載のコンピューターシステム。
【請求項１１】
前記第２の手段が、前記ファイルシステム構造（FSS）モジュールにローディングされた前記パラメータ群に基づいて、次の起動動作で複数の付随する表示及びこれに関連するアプリケーション群の間で交替を生ぜせしめるステップを更に含むことを特徴とする請求項９に記載のコンピューターシステム。
【誤訳訂正２】
【訂正対象書類名】明細書
【訂正対象項目名】００１２
【訂正方法】変更
【訂正の内容】
【００１２】
本発明の他の態様では、基本入出力制御システム（BIOS）であって、コンピューターシステムを初期化し且つオペレーティングシステム（OS）をローディングする標準的なBIOSコード部と、プログラム可能なファイルシステム構造（FSS）モジュールを含むプリブートアプリケーションマネージャ（PAM）部とからなり、該PAM部は、OSをローディングする前に呼び出され、実行され、FSSに記載されている有効な大容量記憶装置（MSD）を確認し、接続したMSDを分析し、整合を見つけたとき関連アプリケーションを実行するのに必要なコードを起動し、該アプリケーションを実行し、該アプリケーションと共に少なくとも一つの表示を行い、それからOSを起動するために該BIOSコード部分に制御を戻し、該PAM部が整合を見つけ損ねたとき整合が見つからなかったことを示すフラグを設定し、その後OSを起動する基本入出力制御システム（BIOS）が提供される。
【誤訳訂正３】
【訂正対象書類名】明細書
【訂正対象項目名】００１３
【訂正方法】変更
【訂正の内容】
【００１３】
この実施例では、該BIOSは、該OSが起動される毎にFSSドライバをローディングし、設定されているフラグを確認し、フラグが設定されているときは被接続MSDを分析し、次の起動動作のために新しいパラメータ群をFSSにローディングし、その後 OSをローディングし続ける。該フラグが設定されていないと該BIOSが判断すると、該BIOSはFSSドライバを停止させ、該OSをローディングし続ける。FSSにローディングされた該パラメータ群は、次の起動動作で、該PAMに、複数の表示群及び関連アプリケーション群の間で交替を生ぜせしめる。
【誤訳訂正４】
【訂正対象書類名】明細書
【訂正対象項目名】００１４
【訂正方法】変更
【訂正の内容】
【００１４】
本発明の他の態様では、オペレーティングシステム（OS）を起動する前にコンピュータ上にて表示を行う方法であって、(a) BIOS内にコンピュータ初期化及びオペレーティングシステム（OS）の起動を指示するプリブートアプリケーションマネージャ（PAM）ソフトウェアを含むステップと、（b）OS起動前に、始動に際して該PAMを呼び出し且つ実行するステップと、(c) アプリケーション及び大容量記憶装置上の表示に対するポインタ群のために、PAMによりBIOS内のファイルシステム構造（FSS）モジュールを確認するステップと、（d）FSSに照らしてアプリケーション及び表示を有するMSDを見つけたとき、該アプリケーションをローディングし、実行し、更に該表示を行うステップと、及び（e）該表示を行った後にOS起動に進むステップとを含む方法が提供される。この方法では、該表示は、広告を含むビデオクリップ群であり得る。
【誤訳訂正５】
【訂正対象書類名】明細書
【訂正対象項目名】００１５
【訂正方法】変更
【訂正の内容】
【００１５】
他の態様では、オペレーティングシステム（OS）を起動する前にコンピュータ上にて表示を行う方法であって、(a) BIOS内にコンピュータ初期化及びオペレーティングシステム（OS）の起動を指示するプリブートアプリケーションマネージャ（PAM）ソフトウェアを含むステップと、（b）OS起動前に、始動に際して該PAMを呼び出し且つ実行するステップと、(c) アプリケーション及び大容量記憶装置上の表示に対するポインタ群のために、PAMによりBIOS内のファイルシステム構造（FSS）モジュールを確認するステップと、（d）FSSに照らしてアプリケーション及び表示を有するMSDを見つけたとき、該アプリケーションをローディングし、実行し、更に該表示を行うステップと、及び（e） 該FSSに照らしてアプリケーション及び表示を有するMSDを見つけ損ねたとき、整合が見つからなかったことを示すフラグを設定し、その後該OSを起動し始めるステップとを含む方法が提供される。
【誤訳訂正６】
【訂正対象書類名】明細書
【訂正対象項目名】００１６
【訂正方法】変更
【訂正の内容】
【００１６】
この方法では、該BIOSは、該OSが起動される毎にFSSドライバをローディングし、設定されているフラグを確認し、フラグが設定されているときは被接続MSDを分析し、次の起動動作のために新しいパラメータ群をFSSにローディングし、その後 OSをローディングし続けるステップを更に含み得る。該フラグが設定されていないと該BIOSが判断すると、該BIOSはFSSドライバを停止させ、該OSをローディングし続ける。FSSにローディングされた該パラメータ群は、次の起動動作で、該PAMに、複数の表示群及び関連アプリケーション群の間で交替を生ぜせしめる。
【誤訳訂正７】
【訂正対象書類名】明細書
【訂正対象項目名】００４８
【訂正方法】変更
【訂正の内容】
【００４８】
図８及び図９に教示される処理フローシーケンスは、該処理の例示であることを意図し、本発明の実施に実装され得る。 本発明の趣旨および範囲から逸脱することなく、多くの変更を含み得る。例えば、一つの実施例において、広告スケジュールは、被交換パケットネットワーク(a switched packet network)からMSDにダウンロードされ得る。この広告スケジュールは、複数の個別の広告を含み得、この広告は例えば、おそらくMPEGビデオクリップ群のように、一つのクリップがプリブート事象毎に連続的な順序で（交替がなされて）実行されるものである。広告スケジュールを普及する能力を有するFSSドライバは、先の広告の実行後に新たなフラグを次の広告に設定する。このようにして、次回システムの電源を投入する際、新しい広告は、ローディングされ、実行される。